(57)【要約】【課題】  簡易な構成により点検作業を効率良く行うことができる押釦式通報装置を提供する。【解決手段】  前面に開口２１ａが形成された筐体２１と、筐体２１内に収容され開口２１ａを介して押圧可能な押釦２２ａと、開口２１ａを覆うように装着される押釦用保護板２４とを備える押釦式通報装置であって、押釦用保護板２４は、押釦２２ａと対向する位置に、検査棒を挿通可能な検査用小孔２４ａを有する。検査用小孔２４ａには、点検時に検査棒を挿入して、押釦２２ａを押圧することができる。【選択図】  図２
0003166560.tif 000002
【実用新案登録請求の範囲】
【請求項１】
前面に開口が形成された筐体と、前記筐体内に収容され前記開口を介して押圧可能な押釦とを備える押釦式通報装置の前記開口に装着される押釦用保護板であって、
前記押釦と対向する位置に、検査棒を挿通可能な検査用小孔を有することを特徴とする押釦用保護板。
【請求項２】
前記検査用小孔の直径は、３〜１０ｍｍである請求項１に記載の押釦用保護板。
【請求項３】
前面に開口が形成された筐体と、
前記筐体内に収容され前記開口を介して押圧可能な押釦と、
前記開口に装着される押釦用保護板とを備える押釦式通報装置であって、
前記押釦用保護板は、前記押釦と対向する位置に、検査棒を挿通可能な検査用小孔を有することを特徴とする押釦式通報装置。
【考案の詳細な説明】
【技術分野】
【０００１】
本考案は、押釦用保護板およびこれを備えた押釦式通報装置に関する。
【背景技術】
【０００２】
高速道路のトンネル等においては、消火器箱、消火栓および非常用電話がそれぞれ所定の間隔で設置されており、これら消火器箱、消火栓および非常用電話には押釦式通報装置が付設されている。トンネル内で火災等の非常事態が発生した場合には、運転者等が押釦式通報装置を作動させることにより、警報信号が道路管理者等に向けて送信される。
【０００３】
押釦式通報装置の作動は、筐体の開口を介して押釦を押圧することにより行われるが、押釦が火災時以外に誤って押されることを防止するため、筐体の開口には押釦を被覆する保護板が装着されている。押釦用保護板を備える押釦式通報装置としては、例えば特許文献１に開示された構成が知られている。図６に分解斜視図で示すように、この押釦式通報装置５０は、防雨キャップ５１とカバー５２との間に押釦スイッチ５３が収納されており、押釦スイッチ５３の押釦部５３ａには、パッキン５４を介して防雨キャップ５５が装着されている。防雨キャップ５５の前面側には、透明アクリル材からなる円板状の保護板５６が配置されており、円環状の枠体５７の係合部５７ａをカバー５２の開口５２ａの周縁に形成された係合孔５２ｂに装着することにより、枠体５７とカバー５２との間に保護板５６が保持される。このような構成を有する押釦式通報装置５０は、保護板５６の中央部を強く押圧することにより、保護板５６が押し込まれて押釦部５３ａが押圧され、押釦スイッチ５３が作動する。
【先行技術文献】
【特許文献】
【０００４】
【特許文献１】特開平１０−１５４２８２号公報
【考案の概要】
【考案が解決しようとする課題】
【０００５】
このような押釦式通報装置は、非常時に確実に作動するように定期的な点検が必要である。ところが、例えば上記の構成を有する押釦式通報装置５０を作動点検する場合には、まず枠体５７を保護板５６と共に取り外した後、押釦スイッチ５３を押圧して通報動作試験を行ってから、再び枠体５７を装着して保護板５６をもとの状態に戻す必要があるため、点検作業に時間を要するという問題があった。特に、トンネル内に設置される押釦式通報装置は多数存在することから、個々に保護板を取り外して動作確認を行う従来の点検方法では、作業が非常に煩雑なものとなっていた。
【０００６】
また、保護板が、指での押圧によって割れや破断が生じるように形成された、いわゆるクラッカープレートである場合には、この保護板を保持する枠体を取り外した際に、保護板が落下の衝撃で損傷し易いという問題があった。このため、従来は保護板の交換頻度が高くなっており、この点でも作業負担の増加を招いていた。従来の保護板としては、押圧後にコイルばねの弾性力によって初期位置に自動復帰する構成も知られているが、部品点数が増加して高コストになるという問題があった。
【０００７】
そこで、本考案は、簡易な構成により点検作業を効率良く行うことができる押釦用保護板およびこれを備えた押釦式通報装置を提供することを目的とする。
【課題を解決するための手段】
【０００８】
本考案の前記目的は、前面に開口が形成された筐体と、前記筐体内に収容され前記開口を介して押圧可能な押釦とを備える押釦式通報装置の前記開口に装着される押釦用保護板であって、前記押釦と対向する位置に、検査棒を挿通可能な検査用小孔を有することを特徴とする押釦用保護板により達成される。
【０００９】
また、本考案の前記目的は、前面に開口が形成された筐体と、前記筐体内に収容され前記開口を介して押圧可能な押釦と、前記開口に装着される押釦用保護板とを備える押釦式通報装置であって、前記押釦用保護板は、前記押釦と対向する位置に、検査棒を挿通可能な検査用小孔を有することを特徴とする押釦式通報装置により達成される。
【考案の効果】
【００１０】
本考案によれば、簡易な構成により点検作業を効率良く行うことができる押釦用保護板を提供することができ、更に、この押釦用保護板を備えた押釦式通報装置を提供することができる。
【図面の簡単な説明】
【００１１】
【図１】本考案の一実施形態に係る押釦式通報装置の正面図である。
【図２】前記押釦式通報装置の要部断面図である。
【図３】前記押釦式通報装置が備える押釦用保護板の平面図である。
【図４】前記押釦式通報装置の動作試験方法を説明するための要部断面図である。
【図５】前記押釦用保護板の変形例を示す平面図である。
【図６】従来の押釦式通報装置の分解斜視図である。
【考案を実施するための形態】
【００１２】
以下、本考案の一実施形態について添付図面を参照しつつ説明する。図１は、本考案の一実施形態に係る押釦式通報装置の正面図である。図１に示すように、本実施形態の押釦式通報装置１０は、高速道路や自動車専用道路等のトンネル内に等間隔（例えば、５０ｍ間隔）に設置される消火器箱１に組み込まれている。消火器箱１は、ケース本体２の前面側にハンドル４ａを把持して開閉可能な消火器扉４を備えており、内部に消火器（図示せず）が収納されている。押釦式通報装置１０は、消火器扉４の上方に設けられており、押釦式通報装置１０の前板１１が消火器扉４と面一となるように、ケース本体２の内部に保持されている。
【００１３】
押釦式通報装置１０は、前板１１に赤色表示灯１２、応答ランプ１４および発信機２０が取り付けられている。赤色表示灯１２は常時点灯しており、遠方からの視認性を高めることができる。発信機２０は、後述するように押釦用保護板２４により覆われた押釦を備えており、運転者等が押釦用保護板２４と共に押釦を押圧することにより、道路監視室等に設置された受信機に警報信号が送信されると共に、応答ランプ１４が点灯するように構成されている。
【００１４】
図２は、図１に示す押釦式通報装置１０において、発信機２０の近傍を示す要部断面図である。図２に示すように、発信機２０は、前板１１に形成された開口２１ａの周縁部に裏面側から固定された有底筒状の筐体２１と、筐体２１の内部に収容された押釦スイッチ２２と、保持枠２３に保持された押釦用保護板２４とを備えている。押釦スイッチ２２は、筐体２１の底板（端板）に固定され、前面側に押釦２２ａを備えており、押釦２２ａを水平方向（図２の右方向）に押圧することにより警報信号を送信するように構成されている。
【００１５】
保持枠２３は、弾性材料等からなる環状の部材であり、複数の係合片２３ａが周方向に沿って等間隔に設けられている。一方、前板１１における開口２１ａの近傍には、複数の係止孔１１ａが開口２１ａの周方向に沿って等間隔に形成されており、係合片２３ａをそれぞれ係止孔１１ａに係合させることにより、保持枠２３が開口２１ａの周縁に固定される。
【００１６】
押釦用保護板２４は、アクリル樹脂等からなる円板状の部材であり、外周面が保持枠２３の内周面に密着して保持され、開口２１ａを閉塞する。押釦用保護板２４は、図２および図３に示すように、押釦スイッチ２２と対向する位置に検査用小孔２４ａが形成されており、後述するように検査棒を検査用小孔２４ａに挿入することにより、押釦用保護板２４を取り外すことなく押釦スイッチ２２を作動させることができる。検査用小孔２４ａの大きさは、大きすぎると、筐体２１の内部を保護する押釦用保護板２４の機能が失われやすくなる一方、小さすぎると、検査棒の挿入や押釦２２ａの押圧が困難になりやすいことから、例えば直径を３〜１０ｍｍの範囲に設定することが好ましく、４〜８ｍｍの範囲に設定することがより好ましい。
【００１７】
上記の構成を備える押釦式通報装置１０は、図４に示すように、検査棒３１の一端側に把持部３２を有する点検具３０を用いて、発信機２０の手動通報動作試験を行うことができる。すなわち、押釦用保護板２４の検査用小孔２４ａに点検具３０の検査棒３１を矢示Ａ方向に挿入し、検査棒３１の先端３１ａで押釦２２ａを押圧することにより、押釦スイッチ２２が正常に作動するか否かを確認することができる。したがって、押釦用保護板２４を取り外す必要がなく点検作業を容易に行うことができるため、作業の迅速化・効率化を図ることができる。検査棒３１による押釦２２ａの押圧を容易且つ確実に行えるように、検査用小孔２４ａの中心は、押釦２２ａの中心と正面視で一致していることが好ましい。
【００１８】
点検具３０は、検査用小孔２４ａに挿入可能な直棒からなる検査棒３１を備える構成であれば特に限定されず、例えば、把持部３２を備えない構成であってもよい。検査棒３１の押圧による押釦２２ａの損傷を防止するため、検査棒３１の先端３１ａは、シリコーンゴム等の軟質材料からなるカバーで被覆することが好ましい。
【００１９】
非常時においては、従来の押釦式通報装置と同様に、押釦用保護板２４自体を指で強く押圧することにより押釦用保護板２４が押し込まれ、押釦用保護板２４を介して押釦２２ａを押圧することができる。
【００２０】
以上、本考案の一実施形態について詳述したが、本考案の具体的な態様は上記実施形態に限定されるものではない。例えば、本実施形態の押釦式通報装置１０は消火器箱１に組み込まれたものであるが、消火栓や非常用電話等のようにトンネル内の他の設備に組み込んで使用することも可能であり、あるいは、トンネル内に単独で設置することも可能である。トンネル内に設置する場合には、トンネルが長く押釦式通報装置１０が多数存在する場合でも、少人数で効率良く検査を行うことができるので、特に効果的である。但し、押釦式通報装置１０の設置場所は、トンネル内に限定されるものではなく、他の任意の場所とすることが可能であり、例えばビルや工場等に設置することも可能である。
【００２１】
また、本実施形態の押釦用保護板２４は、円板状に形成されており、指で押し込んで押釦２２ａを押圧できるように構成されているが、筐体２１の開口２１ａの形状や開口２１ａへの装着方法等に応じて種々の形状・構造とすることが可能であり、例えば、クラッカープレートであってもよい。すなわち、図５に示す押釦用保護板２４０のように、円板状の基材が、円周に沿って形成された複数のスリット２４１により周縁部２４２と中央部２４３とに区画された構成であってもよい。この押釦用保護板２４０は、隣接するスリット２４１，２４１間に存在する複数の橋絡部２４４によって周縁部２４２と中央部２４３とが連結されており、周縁部２４２を筐体の開口周縁に固定した状態で中央部２４３を強く押圧することにより橋絡部２４４が破断するため、中央部２４３を介して押釦を押圧することができる。このような構成を有する押釦用保護板２４０についても、中央部２４３に検査用小孔２４０ａを有する構成にすることで、押釦用保護板２４０を取り外すことなく点検作業を行うことができ、点検時に押釦用保護板２４０が落下して損傷する問題も解消されるため、作業性を高めることができる。クラッカープレートからなる保護板としては、上記の構成以外に、例えば、裏面側に放射状等の切り込みを有する構成であってもよい。
【符号の説明】
【００２２】
１０  押釦通報装置
２０  発信機
２１  筐体
２１ａ  開口
２２  押釦スイッチ
２２ａ  押釦
２４，２４０  押釦用保護板
２４ａ，２４０ａ  検査用小孔
【図１】
0003166560.tif 000003
【図２】
0003166560.tif 000004
【図３】
0003166560.tif 000005
【図４】
0003166560.tif 000006
【図５】
0003166560.tif 000007
【図６】
0003166560.tif 000008